(57)【要約】【課題】番組の内容を加味した質の高い視聴情報の分析をおこなうこと。【解決手段】抽出条件入力部３４１にて入力された抽出条件に基づいて、視聴履歴抽出部３４２は、全視聴者の視聴履歴データから分析対象となる視聴履歴データを抽出する。そのデータをもちいて、コンテンツ再生情報生成部３４７は、分析対象の時間帯を細分化したそれぞれの時間における最も視聴率の高い番組を選択し、コンテンツ再生情報に記録する。コンテンツ再生部３４８は、その情報に基づいてコンテンツの再生をおこない、最も多くの視聴者の視聴行動を再現する。【選択図】        図２
2006066968.tif 000002
【特許請求の範囲】
【請求項１】
テレビ放送の視聴情報を分析する視聴情報分析プログラムであって、
視聴者の視聴行動を記録した視聴履歴データから分析対象のデータを抽出するための条件を入力する抽出条件入力手順と、
前記抽出条件入力手順にて入力された条件に基づいて前記視聴履歴データから分析対象のデータを抽出する視聴履歴抽出手順と、
前記視聴履歴抽出手順によって抽出されたデータを集計し、最も多くの視聴者に視聴された番組（コンテンツ）の推移を記録したコンテンツ再生情報を生成するコンテンツ再生情報生成手順と、
前記コンテンツ再生情報生成手順により生成された前記コンテンツ再生情報に基づいて番組を再生し、最も多くの視聴者に視聴された番組の推移を再現するコンテンツ再生手順と
をコンピュータに実行させることを特徴とする視聴情報分析プログラム。
【請求項２】
前記コンテンツ再生情報生成手順は、最も多くの視聴者に視聴されたテレビ放送の番組と、前記番組と同じ放送局によるデータ放送の番組であって、同じ時間に最も多くの視聴者に視聴された番組とを対で前期コンテンツ再生情報に記録し、
前記コンテンツ再生手順は、前記コンテンツ再生情報に基づいてテレビ放送の番組を再生する際に、このテレビ放送の番組と対で前記コンテンツ再生情報に記録されたデータ放送の情報を表示することを特徴とする請求項１に記載の視聴情報分析プログラム。
【請求項３】
前記コンテンツ再生手順は、前記コンテンツ再生情報に基づいてテレビ放送とデータ放送の番組を切り替え表示もしくは並列表示して再生することを特徴とする請求項２に記載の視聴情報分析プログラム。
【請求項４】
テレビ放送の視聴情報を分析する視聴情報分析装置であって、
視聴者の視聴行動を記録した視聴履歴データから分析対象のデータを抽出するための条件を入力する抽出条件入力手段と、
前記抽出条件入力手段によって抽出された条件に基づいて前記視聴履歴データから分析対象のデータを抽出する視聴履歴抽出手段と、
前記視聴履歴抽出手段が抽出したデータを集計し、最も多くの視聴者に視聴された番組（コンテンツ）の推移を記録したコンテンツ再生情報を生成するコンテンツ再生情報生成手段と、
前記コンテンツ再生情報生成手段により生成された前記コンテンツ再生情報に基づいて番組を再生し、最も多くの視聴者に視聴された番組の推移を再現するコンテンツ再生手段と
を備えたことを特徴とする視聴情報分析装置。
【請求項５】
テレビ放送の視聴情報を分析する視聴情報分析方法であって、
視聴者の視聴行動を記録した視聴履歴データから分析対象のデータを抽出するための条件を入力する抽出条件入力工程と、
前記抽出条件入力工程によって抽出された条件に基づいて前記視聴履歴データから分析対象のデータを抽出する視聴履歴抽出工程と、
前記視聴履歴抽出工程が抽出したデータを集計し、最も多くの視聴者に視聴された番組（コンテンツ）の推移を記録したコンテンツ再生情報を生成するコンテンツ再生情報生成工程と、
前記コンテンツ再生情報生成工程により生成された前記コンテンツ再生情報に基づいて番組を再生し、最も多くの視聴者に視聴された番組の推移を再現するコンテンツ再生工程と
を有したことを特徴とする視聴情報分析方法。
【発明の詳細な説明】
【技術分野】
【０００１】
この発明は、テレビ放送の視聴情報を分析する視聴情報分析プログラム、視聴情報分析装置および視聴情報分析方法に関し、特に視聴者の視聴行動を再現したコンテンツの再生をおこなって質の高い視聴情報分析をおこなうことができる視聴情報分析プログラム、視聴情報分析装置および視聴情報分析方法に関するものである。
【背景技術】
【０００２】
従来より、テレビ放送においては、視聴者の視聴動向を分析するのに視聴率がもちいられている。現在、視聴率は、サンプルとして抽出した数百の世帯に測定器を設置し、その測定器が記録したデータを電話回線等を経由して収集して算出されている。この数百世帯というサンプル数は、調査コストを抑えるために設定された必要最小限の数であり、詳細な分析をおこなうために十分な数とは必ずしもいえない。
【０００３】
近年、インターネットの普及にともない、デジタルテレビ等のインターネットに接続可能な放送受信装置（以下、「受信装置」という）が出現している。このような受信装置に視聴情報を送信する機能をもたせることにより、従来よりも遥かに多数のサンプルを基にした信頼性の高い視聴率データをリアルタイムで算出することができるようになりつつある。
【０００４】
このように、インターネット等の回線を介して受信装置から視聴情報を広範に収集し、視聴率を算出するための技術は、特許文献１や特許文献２により開示されている。
【０００５】
【特許文献１】特開２００３−１２５１０２号公報
【特許文献２】特開２００３−２４４７３１号公報
【発明の開示】
【発明が解決しようとする課題】
【０００６】
しかしながら、サンプル数を増やしただけで、視聴者の視聴動向を十分に分析できるわけではない。従来の視聴動向の分析方法は、視聴率を各種のチャートに表して比較対比するというものであった。このような数値のみによる分析では、放送内容が深く考慮されず、表面的な分析しかできない。
【０００７】
放送番組においては、同じ対象を放送した場合でも、演出等によって視聴者の反応が異なる。番組において特定の部分の視聴率が高くなっているとすれば、演出等の何らかの要因によってその部分が視聴者の興味を誘ったはずであり、それを分析するには実際に放送された画面を参照できることが非常に重要である。
【０００８】
この発明は、上述した従来技術による問題点を解消するためになされたものであり、視聴情報の分析に際して実際に放送された番組の内容を参照することができ、もって質の高い視聴情報分析をおこなうことができる視聴情報分析プログラム、視聴情報分析装置および視聴情報分析方法を提供することを目的とする。
【課題を解決するための手段】
【０００９】
上述した課題を解決し、目的を達成するため、本発明は、テレビ放送の視聴情報を分析する視聴情報分析プログラムであって、視聴者の視聴行動を記録した視聴履歴データから分析対象のデータを抽出するための条件を入力する抽出条件入力手順と、前記抽出条件入力手順にて入力された条件に基づいて前記視聴履歴データから分析対象のデータを抽出する視聴履歴抽出手順と、前記視聴履歴抽出手順によって抽出されたデータを集計し、最も多くの視聴者に視聴された番組（コンテンツ）の推移を記録したコンテンツ再生情報を生成するコンテンツ再生情報生成手順と、前記コンテンツ再生情報生成手順により生成された前記コンテンツ再生情報に基づいて番組を再生し、最も多くの視聴者に視聴された番組の推移を再現するコンテンツ再生手順とをコンピュータに実行させることを特徴とする。
【００１０】
また、本発明は、テレビ放送の視聴情報を分析する視聴情報分析装置であって、視聴者の視聴行動を記録した視聴履歴データから分析対象のデータを抽出するための条件を入力する抽出条件入力手段と、前記抽出条件入力手段によって抽出された条件に基づいて前記視聴履歴データから分析対象のデータを抽出する視聴履歴抽出手段と、前記視聴履歴抽出手段が抽出したデータを集計し、最も多くの視聴者に視聴された番組（コンテンツ）の推移を記録したコンテンツ再生情報を生成するコンテンツ再生情報生成手段と、前記コンテンツ再生情報生成手段により生成された前記コンテンツ再生情報に基づいて番組を再生し、最も多くの視聴者に視聴された番組の推移を再現するコンテンツ再生手段とを備えたことを特徴とする。
【００１１】
また、本発明は、テレビ放送の視聴情報を分析する視聴情報分析方法であって、視聴者の視聴行動を記録した視聴履歴データから分析対象のデータを抽出するための条件を入力する抽出条件入力工程と、前記抽出条件入力工程によって抽出された条件に基づいて前記視聴履歴データから分析対象のデータを抽出する視聴履歴抽出工程と、前記視聴履歴抽出工程が抽出したデータを集計し、最も多くの視聴者に視聴された番組（コンテンツ）の推移を記録したコンテンツ再生情報を生成するコンテンツ再生情報生成工程と、前記コンテンツ再生情報生成工程により生成された前記コンテンツ再生情報に基づいて番組を再生し、最も多くの視聴者に視聴された番組の推移を再現するコンテンツ再生工程とを有したことを特徴とする。
【００１２】
この発明によれば、指定された条件に基づいて抽出された視聴情報から、最も多くの視聴者によって視聴されたコンテンツの推移を記録した情報を生成し、生成された情報に基づいてコンテンツを実際に再生することで推移を確認できるように構成したので、数値データのみによる表面的な分析だけでなく、演出等の効果分析を含めた質の高い分析をおこなうことができる。
【００１３】
また、本発明は、上記の発明において、前記コンテンツ再生情報生成手順は、最も多くの視聴者に視聴されたテレビ放送の番組と、前記番組と同じ放送局によるデータ放送の番組であって、同じ時間に最も多くの視聴者に視聴された番組とを対で前期コンテンツ再生情報に記録し、前記コンテンツ再生手順は、前記コンテンツ再生情報に基づいてテレビ放送の番組を再生する際に、このテレビ放送の番組と対で前記コンテンツ再生情報に記録されたデータ放送の情報を表示することを特徴とする。
【００１４】
この発明によれば、テレビ放送のコンテンツを再生する際に、同時刻に最も多く視聴されていたデータ放送の情報を表示するように構成したので、テレビ放送とデータ放送の関連を分析することができる。
【００１５】
また、本発明は、上記の発明において、前記コンテンツ再生手順は、前記コンテンツ再生情報に基づいてテレビ放送とデータ放送の番組を切り替え表示もしくは並列表示して再生することを特徴とする。
【００１６】
この発明によれば、テレビ放送のコンテンツを再生する際に、同時刻に最も多く視聴されていたデータ放送の番組も再生できるように構成したので、データ放送についても内容を加味した質の高い分析をおこなうことができる。
【発明の効果】
【００１７】
本発明によれば、指定された条件に基づいて抽出された視聴情報から、最も多くの視聴者によって視聴されたコンテンツの推移を記録した情報を生成し、生成された情報に基づいてコンテンツを実際に再生することで推移を確認できるように構成したので、数値データのみによる表面的な分析だけでなく、演出等の効果分析を含めた質の高い分析をおこなうことができるという効果を奏する。
【００１８】
また、本発明によれば、テレビ放送のコンテンツを再生する際に、同時刻に最も多く視聴されていたデータ放送の情報を表示するように構成したので、テレビ放送とデータ放送の関連を分析することができるという効果を奏する。
【００１９】
また、本発明によれば、テレビ放送のコンテンツを再生する際に、同時刻に最も多く視聴されていたデータ放送の番組も再生できるように構成したので、データ放送についても内容を加味した質の高い分析をおこなうことができるという効果を奏する。
【発明を実施するための最良の形態】
【００２０】
以下に添付図面を参照して、この発明に係る視聴情報分析プログラム、視聴情報分析装置および視聴情報分析方法の好適な実施の形態を詳細に説明する。ここでは、本発明に係る視聴情報分析プログラム、視聴情報分析装置および視聴情報分析方法をＢＳ／ＣＳ／地上波デジタル放送の視聴情報分析に適用した場合について説明する。
【実施例】
【００２１】
まず、ＢＳ／ＣＳ／地上波デジタル放送の概要について説明しておく。ＢＳ／ＣＳ／地上波デジタル放送には、大きく分けて、テレビ放送とデータ放送という２種類の放送が存在する。テレビ放送は、従来からある動画と音声からなる放送であり、基本的には１チャンネルにつき１つの番組が提供される。データ放送は、画像と文字データからなる放送であり、１チャンネルで複数のコンテンツが提供される。
【００２２】
データ放送のコンテンツは、さらに２つに分けられる。１つは、放送により配信されるコンテンツであり、全ての視聴者に同じ内容が提供される。もう１つは、通信により配信されるコンテンツであり、視聴者の要求に応じて異なる内容が提供される。後者は、視聴者の要求により提供されるコンテンツが変化することから、双方向サービスとよばれる。
【００２３】
視聴者が、双方向サービスを利用するにあたっては、受信装置と放送局の間を回線で接続する必要がある。この接続の方式は、従来は、低速なアナログモデムによる独自接続の方式が主流であったが、今後は、インターネット接続による方式に移行することになっている。インターネット接続へ移行することにより、ブロードバンド回線による高速通信が可能になり、従来よりも多様で高品質なコンテンツの提供が可能になる。
【００２４】
図１は、インターネットを通じた双方向サービスの仕組みを説明するための説明図である。同図に示すように、受信装置は放送局からの電波を受信する一方で、双方向センタとインターネット接続される。双方向センタは、１社ないし複数社の放送局と契約を結んで双方向サービスの提供を代行する業者である。
【００２５】
双方向センタには、不正アクセスを防止するためのファイアーウォールが設けられ、これを介して受信装置と利用者向けサーバが接続される形を取る。利用者向けサーバには大きく分けて２種類あり、一方は、双方向センタ内のアプリケーションサーバと接続して双方向センタ内でサービスを実行して情報の提供をおこなう。もう一方は、ゲートウェイを介して放送局サイトで実行されるサービスの中継をおこなう。
【００２６】
双方向センタおよび放送局サイトは、視聴者の要求に応じてＢＭＬ（Broadcast Markup Language）というページ記述言語で記述されたコンテンツ（以下、「ＢＭＬコンテンツ」という）を受信装置へ送信する。ＢＭＬとは、ＸＨＴＭＬ（eXtensible HyperText Markup Language）をデータ放送用に拡張した言語であり、放送によるデータ放送でも利用される。
【００２７】
受信装置は、ＢＭＬコンテンツを受け取ると、それを画面に表示する。画面に他のＢＭＬコンテンツへのリンクが存在し、視聴者がそれをリモコン等で選択すると、受信装置は、そのＢＭＬコンテンツを双方向センタへ要求する。これを繰り返すことにより、視聴者と放送局（双方向センタ）との間の双方向のやりとりが実現する。
【００２８】
このインターネットによる接続は、コンテンツの配信だけでなく、視聴情報の収集の為に利用することができる。リモコン等により視聴者から指示されたプレゼンス内容を双方向センタ等へ送信する機能を受信装置に設けておき、送信されたプレゼンス情報を双方向センタ等で集計することにより広範な視聴者を対象にした視聴率を算出することができる。
【００２９】
次に、本実施例に係る視聴情報分析装置の構成について説明する。図２は、本実施例に係る視聴情報分析装置の構成を示す機能ブロック図である。同図に示すように、視聴情報分析装置３００は、ＤＢサーバ１００とコンテンツサーバ２００とに接続された構成をとる。
【００３０】
ＤＢサーバ１００は、各種のデータを記憶する装置であり、契約者属性ＤＢ１１０と視聴履歴ＤＢ１２０とを有する。
【００３１】
契約者属性ＤＢ１１０は、双方向サービスの利用契約を結んでいる契約者の情報を記憶するＤＢである。具体的には、双方向サービスを契約している世帯の各構成員の性別や年齢等の個人情報がここに記憶されている。
【００３２】
図３は、契約者属性ＤＢ１１０のデータ構成の一例を示すサンプル図である。同図に示すように、契約者属性ＤＢ１１０には、双方向サービスを契約している世帯の構成員毎にデータが存在し、各データには契約世帯単位で共通な契約番号と個人単位で割当てられる個人ＩＤが設定される。そして、各データには、氏名、性別、生年月日、住所、趣味といった個人情報が格納される。
【００３３】
なお、本実施例においては、視聴者の個人情報を取得するために双方向サービスの契約情報を利用するが、他に視聴者の個人情報を取得できる情報があればそれをもちいてもよい。
【００３４】
視聴履歴ＤＢ１２０は、視聴者が放送を視聴した履歴情報を記憶するＤＢである。具体的には、各視聴者が何時どのテレビ番組もしくはＢＭＬコンテンツを視聴したのかがここに記憶されている。ＢＭＬコンテンツは、放送によるものと通信によるものが種別の項目によって区別されて記憶される。
【００３５】
図４は、視聴履歴ＤＢ１２０のデータ構成の一例を示すサンプル図である。同図に示すように、視聴履歴ＤＢ１２０には、視聴者がいつからいつまでどのテレビ番組もしくはＢＭＬコンテンツを視聴したのかが１件のデータとして格納される。
【００３６】
デジタルテレビにおいては、画面を分割することにより、テレビ放送を受信しながらデータ放送を視聴することも可能なため、テレビ番組の視聴時間とＢＭＬコンテンツの視聴時間が重複することがある。例えば、１０２３４８という個人ＩＤの視聴者は、ＡＶ０２０２１４５というコンテンツＩＤのテレビ番組を受信している最中に、ＤＡＴ０１６２８３というコンテンツＩＤの放送によるＢＭＬコンテンツやＮＥＴ００７０２３というコンテンツＩＤの通信によるＢＭＬコンテンツを視聴している。
【００３７】
なお、この視聴履歴ＤＢ１２０に格納される視聴履歴情報は、ネットワーク接続された受信端末から収集されてものであっても、あるいは、調査会社等が調査したものであってもよい。
【００３８】
また、本実施例においては、ＤＢサーバ１００と視聴情報分析装置３００を別個の装置として説明しているが、両者が一体の筐体をなして視聴情報分析装置３００がＤＢサーバ１００の機能を兼ねるように構成してもよい。
【００３９】
コンテンツサーバ２００は、過去に放送されたテレビ番組やＢＭＬコンテンツを記憶するサーバであり、映像コンテンツ記憶部２１０とＢＭＬコンテンツ記憶部２２０とを有する。
【００４０】
映像コンテンツ記憶部２１０は、テレビ放送で放送されたテレビ番組をＭＰＥＧ２（Moving Picture Experts Group phase 2）等のフォーマットで記憶する記憶部である。ＢＭＬコンテンツ記憶部２２０は、データ放送で配信されたＢＭＬコンテンツを記憶する記憶部である。
【００４１】
図２においては、テレビ番組やＢＭＬコンテンツが１台のコンテンツサーバ２００に記憶されているように図示しているが、これらのデータは分散して存在していてもよい。例えば、映像コンテンツ記憶部２１０を有するサーバとＢＭＬコンテンツ記憶部２２０を有するサーバが放送局毎に別個に存在していてもよい。
【００４２】
視聴情報分析装置３００は、視聴情報の分析をおこない、分析結果に基づいてコンテンツの再生をおこなう装置であり、入力部３１０と、表示部３２０と、インターフェース部３３０と、制御部３４０と、記憶部３５０とを有する。
【００４３】
入力部３１０は、利用者の入力を受け付ける装置であり、キーボードやマウスからなる。表示部３２０は、画像データや文字データ等を画面表示する装置であり、液晶表示装置等がこれにあたる。インターフェース部３３０は、ネットワークを通じてデータ等のやり取りをするためのネットワークインターフェースである。
【００４４】
制御部３４０は、視聴情報分析装置３００を全体制御する制御部であり、抽出条件入力部３４１と、視聴履歴抽出部３４２と、契約者属性取得部３４３と、視聴履歴取得部３４４と、マーケティング情報集計部３４５と、マーケティング情報表示部３４６と、コンテンツ再生情報生成部３４７と、コンテンツ再生部３４８と、コンテンツ取得部３４９とを有する。
【００４５】
抽出条件入力部３４１は、抽出条件入力画面を表示部３２０に表示し、分析する視聴履歴情報の抽出条件の入力を利用者から受け付ける処理部である。具体的には、大きく分けて、視聴履歴情報の時間的な範囲を絞り込むための情報と、対象とする視聴者を絞り込むための情報の入力を受け付ける。
【００４６】
図５は、抽出条件入力画面の一例を示すサンプル図である。同図に示すように、画面左側には放送時間を指定するための入力項目があり、画面右側には対象とする視聴者を指定するための入力項目がある。
【００４７】
放送時間の指定は、日付の指定と時間帯の指定の組み合わせておこなう。日付の指定は、年と月と日を指定することによりおこなう。時間帯の指定は、放送開始時刻と放送時間とを指定するか、テレビ番組の番組名を指定するかのいずれかの方法でおこなう。番組名を指定した場合は、過去の番組編成データが参照され、指定された日付にその番組が放送された時間帯が検索されて、その時間帯が利用者によって指定されたものとして扱われる。
【００４８】
また、時間帯を指定するために番組名を指定した場合には、その番組を放送していたチャンネルにチャンネルを固定してコンテンツを再生するように指定することができる。この指定をおこなうことにより、テレビ番組の視聴率の変動に関係なく、そのチャンネルで放送されたデータ放送の視聴動向を分析することが可能になる。
【００４９】
データ放送には、テレビ番組と連動したコンテンツが存在するが、そのようなコンテンツがテレビ放送の内容とどのように関連して視聴されているのかを分析したい場合には、この指定をおこなってチャンネルを固定する必要がある。この指定をおこなわないとすると、時間の推移にともなう視聴率の変動によって再生されるチャンネルが変化してしまい、特定のテレビ番組とデータ放送のコンテンツの関連を確認することができなくなる。
【００５０】
対象とする視聴者の指定は、性別、年齢の上限と下限、居住している都道府県と市町村区、趣味等の項目のうち必要な項目に条件を指定することでおこなうことができる。
【００５１】
視聴履歴抽出部３４２は、抽出条件入力部３４１で入力された条件に合うデータを視聴履歴ＤＢ１２０から抽出する処理部である。抽出条件入力部３４１で視聴者に関する条件が指定された場合には、視聴者を絞り込むために契約者属性ＤＢ１１０のデータを参照する。抽出されたデータは、記憶部３５０の視聴履歴抽出結果記憶部３５１に記憶される。視聴履歴抽出結果記憶部３５１に記憶されるデータのデータ構成は、視聴履歴ＤＢ１２０のデータ構成と同一である。
【００５２】
契約者属性取得部３４３は、視聴履歴抽出部３４２の指示に基づいて契約者属性ＤＢ１１０からデータを取得し、取得したデータを視聴履歴抽出部３４２へ引き渡す処理部である。視聴履歴取得部３４４は、視聴履歴抽出部３４２の指示に基づいて視聴履歴ＤＢ１２０からデータを取得し、取得したデータを視聴履歴抽出部３４２へ引き渡す処理部である。
【００５３】
マーケティング情報集計部３４５は、視聴履歴抽出結果記憶部３５１に記憶されたデータを基にして、各種の分析チャートを生成するために必要なデータを集計する処理部である。マーケティング情報表示部３４６は、マーケティング情報集計部３４５が集計したデータを基にして各種の分析チャートを表示部３２０に表示する処理部である。
【００５４】
ここで、マーケティング情報集計部３４５が表示するチャートの例を示す。図６は、視聴者毎の視聴行動を分析するためのチャートのサンプル図である。このチャートは、視聴者が時間の推移にともなって視聴する番組をどのように変化させたかを表している。時間の推移の間隔は、自由に設定することができる。
【００５５】
図７は、テレビ放送とデータ放送の関連を分析するためのチャートのサンプル図である。このチャートは、時間の推移にともなってテレビ放送とデータ放送の視聴率がどのように変化したかを表している。このように、テレビ放送とデータ放送の視聴率を並べて表示することで、両者の関連を分析することができる。
【００５６】
図８は、データ放送の視聴行動を分析するためのチャートのサンプル図である。このチャートは、特定の放送局において特定のテレビ番組が放送されている間に、データ放送がどのように視聴されたかを表している。
【００５７】
図９は、コンテンツの選択経路と視聴時間を分析するためのチャートのサンプル図である。このチャートは、視聴者がどのようなルートをたどってデータ放送を視聴したかを表している。線の太さは、そのルートをたどった視聴者の多さを表しており、線の長さは、視聴者がそのコンテンツを視聴した時間の長さを表している。
【００５８】
これらのチャートを分析することにより、番組の制作者やスポンサーは視聴者の視聴行動の傾向を知ることができる。しかし、どのような場面が視聴者に好まれており、より多くの視聴者に番組を視聴させるためにどのような演出が効果的なのかについては、実際に視聴されたコンテンツを参照する必要がある。
【００５９】
コンテンツ再生情報生成部３４７は、視聴履歴抽出結果記憶部３５１に記憶されたデータを基にして、コンテンツ再生のためのコンテンツ再生情報を生成する処理部である。生成されたコンテンツ再生情報は、記憶部３５０のコンテンツ再生情報記憶部３５２に記憶される。
【００６０】
図１０は、コンテンツ再生情報のデータ構成の一例を示すサンプル図である。同図に示すように、この情報は、抽出条件入力部３４１で入力された時間帯を所定の時間間隔で細分化した各時間毎にデータを保持し、それぞれのデータには、その時間で最も視聴率の高かったテレビ番組の情報と、データ放送のコンテンツの情報とがその時間における視聴率とともに格納される。
【００６１】
ここに記録されるデータ放送のコンテンツは、その時間で最も視聴率の高かったテレビ番組と同じ放送局によって配信されたデータ放送のコンテンツのうち、その時間に最も多くの視聴者に視聴されたものであり、放送によるＢＭＬコンテンツと通信によるＢＭＬコンテンツとが区別されて格納される。
【００６２】
この例では、時間帯を２分毎に区切ってその間で最も多く視聴されたコンテンツを記録するようになっているが、この時間間隔は任意に設定することができる。時間間隔を短くすることで、コンテンツ再生情報生成部３４７の処理時間は長くなるが、視聴者の視聴行動をより精密に反映したコンテンツ再生をおこなうことができるようになる。
【００６３】
なお、抽出条件入力部３４１で再生するテレビ番組を固定する旨の指定がなされた場合には、テレビ番組の項目には全てその指定されたテレビ番組の情報が設定され、ＢＭＬコンテンツの項目には、その放送局で同時間に最も多く視聴されていたデータ放送のコンテンツの情報が設定される。
【００６４】
コンテンツ再生部３４８は、コンテンツ再生情報記憶部３５２に記憶されたデータを基にしてコンテンツの再生をおこない、コンテンツ再生画面に表示する処理部である。ここで再生されるコンテンツは、最も多くの視聴者がおこなったチャンネル変更等の視聴行動を再現したものになる。コンテンツ再生部３４８は、再生をスムーズにおこなうため、必要に応じてコンテンツの先読みをおこない、コンテンツキャッシュ部３５３に記憶させておく。
【００６５】
コンテンツ取得部３４９は、コンテンツ再生部３４８の指示に基づいて映像コンテンツ記憶部２１０もしくはＢＭＬコンテンツ記憶部２２０からコンテンツデータを取得し、取得したデータをコンテンツ再生部３４８へ引き渡す処理部である。
【００６６】
記憶部３５０は、視聴履歴抽出結果記憶部３５１と、コンテンツ再生情報記憶部３５２と、コンテンツキャッシュ部３５３とを有する。視聴履歴抽出結果記憶部３５１は、視聴履歴抽出部３４２が抽出したデータを記憶する記憶部である。コンテンツ再生情報記憶部３５２は、コンテンツ再生情報生成部３４７が生成したコンテンツ再生情報を記憶する記憶部である。コンテンツキャッシュ部３５３は、コンテンツ再生部３５３が先読みしたコンテンツデータを記憶する記憶部である。
【００６７】
次に、コンテンツ再生部３５３によるコンテンツ再生について説明する。図１１は、コンテンツ再生画面の一例を示すサンプル図である。同図に示すように、画面の左上は、映像・コンテンツ表示領域となっており、テレビ番組やＢＭＬコンテンツの表示はここでおこなわれる。その右には、映像・コンテンツ情報表示領域があり、映像・コンテンツ表示領域に表示されているコンテンツの製作スタッフ名等の付属情報が表示される。
【００６８】
映像・コンテンツ表示領域と映像・コンテンツ情報表示領域の下にはコンテンツ選択領域がある。ここには、テレビ番組、放送によるＢＭＬコンテンツ、通信によるＢＭＬコンテンツの情報が視聴率とともに表示される。そして、そのいずれかを選択すると映像・コンテンツ表示領域の表示が切り替わって選択されたコンテンツが表示される仕組みになっている。
【００６９】
画面の右側は、操作用領域であり、放送日時やチャンネルを表示する領域や、再生の開始や停止を制御するボタンなどが備わっている。
【００７０】
図１０に示したコンテンツ再生情報を再生すると以下のようになる。初期状態では、映像・コンテンツ表示領域には「夏のソナタ」というテレビ番組のドラマが再生され。コンテンツ選択領域には、テレビ番組として「夏のソナタ」の情報が表示され、放送によるＢＭＬコンテンツとして「前回までのストーリー」の情報が表示され、通信によるＢＭＬコンテンツとして「クイズ」の情報が表示される。
【００７１】
ここで、コンテンツ選択領域において放送によるＢＭＬコンテンツを選択すると、「前回までのストーリー」が映像・コンテンツ表示領域に表示され、通信によるＢＭＬコンテンツを選択すると「クイズ」が映像・コンテンツ表示領域に表示される。
【００７２】
このように、本実施例に係る視聴情報分析方式においては、指定した視聴者によって最も多く視聴されていたテレビ番組がコンテンツ再生情報に基づいて再生され、そのテレビ番組と同じ時間に最も多く視聴されていたデータ放送のコンテンツを選択により参照することもできる。
【００７３】
再生を続けると、テレビ番組の再生が４分経過したところで、コンテンツ選択領域の通信によるＢＭＬコンテンツの表示が自動的に切り替わり、「ＸＸ太郎・スーツ」の情報が表示される。このＢＭＬコンテンツは、テレビ番組の主人公が着用しているスーツを紹介するものである。情報が切り替わる直前に、テレビ番組で主人公のスーツ姿を意図的にアップで写すシーンがあったとすれば、その演出効果によってデータ放送の視聴が増加しことを確認できたことになる。
【００７４】
さらに再生を続け、テレビ番組の再生が１２分経過したところで、コンテンツ選択領域のテレビ番組の表示が自動的に切り替わり、「サッカー中継」の情報が表示される。同時に、映像・コンテンツ表示領域の表示内容も「サッカー中継」に切り替わる。これは、このタイミングで多くの視聴者がチャンネルを切り替え、最も多く視聴された放送が変化したことを示している。
【００７５】
切り替え前の再生映像から、このタイミングがＣＭに入ったタイミングであることが分かれば大きな問題は無いが、ＣＭと関係の無いタイミングであった場合はそこまでの番組の内容に何らかの問題があったことを意味する。この場合、再生を再度おこなって内容を詳細に確認する必要がある。
【００７６】
このように、本実施例に係る視聴情報分析方式においては、再生されるコンテンツの切り替わりを確認することによって、何が要因となって視聴者の視聴行動が変化するのかを分析することができ、その分析結果を以降の番組制作等に生かすことができる。
【００７７】
なお、本実施例では、テレビ番組の映像とＢＭＬコンテンツを切り替えて一つの領域に表示するように構成したが、表示領域を別個に設けてそれぞれを同時に表示できるようにしてもよい。
【００７８】
次に、図２に示した視聴情報分析装置の処理手順について説明する。図１２は、図２に示した視聴情報分析装置３００の処理手順を示すフローチャートである。同図に示すように、まず、抽出条件入力画面を表示して利用者から抽出条件の入力を受け付け（ステップＳ１０１）、入力された抽出条件に合う視聴履歴情報を抽出する（ステップＳ１０２）。
【００７９】
ここで、利用者に処理の選択を求める。利用者がマーケティング情報の表示を選択した場合は（ステップＳ１０３マーケティング情報）、マーケティング情報を各種のチャートとして表示する（ステップＳ１０４）。マーケティング情報の表示が終わったならば、ステップＳ１０３に戻り、利用者に処理の選択を再度求める。
【００８０】
利用者が処理の選択においてコンテンツの再生を選択した場合は（ステップＳ１０３コンテンツ再生）、後述するコンテンツ再生情報生成処理をおこなってコンテンツ再生情報を生成し（ステップＳ１０５）、その情報に基づいてテレビ番組およびＢＭＬコンテンツの再生をおこなう（ステップＳ１０６）。再生が終わったならば、ステップＳ１０３に戻り、利用者に処理の選択を再度求める。
【００８１】
そして、利用者が処理の選択において終了を選択した場合は（ステップＳ１０３終了）、処理を終了する。
【００８２】
次に、図１２に示したコンテンツ再生情報生成処理の処理手順について説明する。図１３は、図１２に示したコンテンツ再生情報生成処理の処理手順を示すフローチャートである。同図に示すように、まず、変数Ｔに視聴履歴情報の集計開始日時を設定する（ステップＳ２０１）。この集計開始日時は、抽出条件入力画面で入力された放送開始日と放送開始時刻を組み合わせたものである。
【００８３】
ここで、変数Ｔに設定された日時が集計終了日時を過ぎているかを確認する。集計終了日時とは、集計開始日時に抽出条件入力画面で入力された放送時間を加算したものである。変数Ｔに設定された日時が集計終了日時を過ぎている場合は（ステップＳ２０２肯定）、処理を終了する。
【００８４】
変数Ｔに設定された日時が集計終了日時を過ぎていない場合は（ステップＳ２０２否定）、変数Ｔに所定の集計間隔を加算したものを変数Ｔ２に設定する（ステップＳ２０３）。例えば、視聴率が最も高い番組を２分間隔で選択する場合には、この集計間隔は２分となる。
【００８５】
続いて、抽出条件入力画面で再生するテレビ番組を固定する旨の指定があったか否かを確認する。指定がなかった場合は、変数Ｔに設定された日時と変数Ｔ２に設定された日時の間で最も多く視聴されたテレビ番組を視聴履歴抽出結果記憶部３５１から検索して選択する（ステップＳ２０５）。指定があった場合は（ステップＳ２０４肯定）、指定されたテレビ番組をこの時間帯の再生対象として選択する（ステップＳ２０６）。テレビ番組を選択する際は、視聴履歴抽出結果記憶部３５１の情報からこの期間のその番組の視聴率を計算しておく。
【００８６】
そして、ステップＳ２０５もしくはステップＳ２０６で選択したテレビ番組の放送局で配信されたＢＭＬコンテンツのうち、変数Ｔに設定された日時と変数Ｔ２に設定された日時の間で最も多く視聴されたＢＭＬコンテンツを視聴履歴抽出結果記憶部３５１を検索して選択する（ステップＳ２０７）。
【００８７】
このＢＭＬコンテンツは、放送によるものと通信によるものをそれぞれ一つずつ選択する。また、ＢＭＬコンテンツについても、視聴履歴抽出結果記憶部３５１の情報からこの期間の視聴率を計算しておく。
【００８８】
変数Ｔに設定された日時と変数Ｔ２に設定された日時の間で最も多く視聴されたテレビ番組とＢＭＬコンテンツを選択したならば、それらをコンテンツ再生情報記憶部３５２に記憶させ（ステップＳ２０８）、変数Ｔに変数Ｔ２の日時を設定し（ステップＳ２０９）、ステップＳ２０２に戻って処理を継続する。
【００８９】
以上の処理をおこなうことにより、コンテンツ再生情報記憶部３５２にコンテンツ再生情報が生成される。
【００９０】
上述してきたように、本実施例では、コンテンツ再生情報生成部３４７が分析対象の時間帯を細分化したそれぞれの時間における最も視聴率の高い番組を記録したコンテンツ再生情報を生成し、コンテンツ再生部３４８がその情報に基づいてコンテンツの再生をおこなうように構成したので、最も多くの視聴者の視聴行動を再現したコンテンツの再生をおこなうことができ、実際の番組の内容を確認しながら視聴者の視聴行動の変化の要因を分析することができる。
【００９１】
なお、本実施例においては、テレビ放送とデータ放送を関連させて分析する例を説明したが、本発明に係る視聴情報分析プログラム、視聴情報分析装置および視聴情報分析方法は、必ずしもテレビ放送とデータ放送を関連させる必要はなく、テレビ放送のみの分析にもちいることもできる。
【００９２】
（付記１）テレビ放送の視聴情報を分析する視聴情報分析プログラムであって、
視聴者の視聴行動を記録した視聴履歴データから分析対象のデータを抽出するための条件を入力する抽出条件入力手順と、
前記抽出条件入力手順にて入力された条件に基づいて前記視聴履歴データから分析対象のデータを抽出する視聴履歴抽出手順と、
前記視聴履歴抽出手順によって抽出されたデータを集計し、最も多くの視聴者に視聴された番組（コンテンツ）の推移を記録したコンテンツ再生情報を生成するコンテンツ再生情報生成手順と、
前記コンテンツ再生情報生成手順により生成された前記コンテンツ再生情報に基づいて番組を再生し、最も多くの視聴者に視聴された番組の推移を再現するコンテンツ再生手順と
をコンピュータに実行させることを特徴とする視聴情報分析プログラム。
【００９３】
（付記２）前記コンテンツ再生情報生成手順は、最も多くの視聴者に視聴されたテレビ放送の番組と、前記番組と同じ放送局によるデータ放送の番組であって、同じ時間に最も多くの視聴者に視聴された番組とを対で前期コンテンツ再生情報に記録し、
前記コンテンツ再生手順は、前記コンテンツ再生情報に基づいてテレビ放送の番組を再生する際に、このテレビ放送の番組と対で前記コンテンツ再生情報に記録されたデータ放送の情報を表示することを特徴とする付記１に記載の視聴情報分析プログラム。
【００９４】
（付記３）前記コンテンツ再生情報生成手順は、前記抽出条件入力手順にて指定されたテレビ放送の番組と、前記番組と同じ放送局によるデータ放送の番組であって、同じ時間に最も多くの視聴者に視聴された番組とを対で前期コンテンツ再生情報に記録し、
前記コンテンツ再生手順は、前記コンテンツ再生情報に基づいてテレビ放送の番組を再生する際に、このテレビ放送の番組と対で前記コンテンツ再生情報に記録されたデータ放送の情報を表示することを特徴とする付記１に記載の視聴情報分析プログラム。
【００９５】
（付記４）前記コンテンツ再生手順は、前記コンテンツ再生情報に基づいてテレビ放送とデータ放送の番組を切り替え表示もしくは並列表示して再生することを特徴とする付記２または３に記載の視聴情報分析プログラム。
【００９６】
（付記５）テレビ放送の視聴情報を分析する視聴情報分析装置であって、
視聴者の視聴行動を記録した視聴履歴データから分析対象のデータを抽出するための条件を入力する抽出条件入力手段と、
前記抽出条件入力手段によって抽出された条件に基づいて前記視聴履歴データから分析対象のデータを抽出する視聴履歴抽出手段と、
前記視聴履歴抽出手段が抽出したデータを集計し、最も多くの視聴者に視聴された番組（コンテンツ）の推移を記録したコンテンツ再生情報を生成するコンテンツ再生情報生成手段と、
前記コンテンツ再生情報生成手段により生成された前記コンテンツ再生情報に基づいて番組を再生し、最も多くの視聴者に視聴された番組の推移を再現するコンテンツ再生手段と
を備えたことを特徴とする視聴情報分析装置。
【００９７】
（付記６）テレビ放送の視聴情報を分析する視聴情報分析方法であって、
視聴者の視聴行動を記録した視聴履歴データから分析対象のデータを抽出するための条件を入力する抽出条件入力工程と、
前記抽出条件入力工程によって抽出された条件に基づいて前記視聴履歴データから分析対象のデータを抽出する視聴履歴抽出工程と、
前記視聴履歴抽出工程が抽出したデータを集計し、最も多くの視聴者に視聴された番組（コンテンツ）の推移を記録したコンテンツ再生情報を生成するコンテンツ再生情報生成工程と、
前記コンテンツ再生情報生成工程により生成された前記コンテンツ再生情報に基づいて番組を再生し、最も多くの視聴者に視聴された番組の推移を再現するコンテンツ再生工程と
を有したことを特徴とする視聴情報分析方法。
【産業上の利用可能性】
【００９８】
以上のように、本発明にかかる視聴情報分析プログラム、視聴情報分析装置および視聴情報分析方法は、テレビ放送の視聴情報分析に有用であり、特に、番組の内容を加味した質の高い分析をおこなうことが必要な場合に適している。
【図面の簡単な説明】
【００９９】
【図１】インターネットを通じた双方向サービスの仕組みを説明するための説明図である。
【図２】本実施例に係る視聴情報分析装置の構成を示す機能ブロック図である。
【図３】契約者属性ＤＢのデータ構成の一例を示すサンプル図である。
【図４】視聴履歴ＤＢ１２０のデータ構成の一例を示すサンプル図である。
【図５】抽出条件入力画面の一例を示すサンプル図である。
【図６】視聴者毎の視聴行動を分析するためのチャートのサンプル図である。
【図７】テレビ放送とデータ放送の関連を分析するためのチャートのサンプル図である。
【図８】データ放送の視聴行動を分析するためのチャートのサンプル図である。
【図９】コンテンツの選択経路と視聴時間を分析するためのチャートのサンプル図である。
【図１０】コンテンツ再生情報のデータ構成の一例を示すサンプル図である。
【図１１】コンテンツ再生画面の一例を示すサンプル図である。
【図１２】図２に示した視聴情報分析装置の処理手順を示すフローチャートである。
【図１３】図１２に示したコンテンツ再生情報生成処理の処理手順を示すフローチャートである。
【符号の説明】
【０１００】
１００    ＤＢサーバ
１１０    契約者属性ＤＢ
１２０    視聴履歴ＤＢ
２００    コンテンツサーバ
２１０    映像コンテンツ記憶部
２２０    ＢＭＬコンテンツ記憶部
３００    視聴情報分析装置
３１０    入力部
３２０    表示部
３３０    インターフェース部
３４０    制御部
３４１    抽出条件入力部
３４２    視聴履歴抽出部
３４３    契約者属性取得部
３４４    視聴履歴取得部
３４５    マーケティング情報集計部
３４６    マーケティング情報表示部
３４７    コンテンツ再生情報生成部
３４８    コンテンツ再生部
３４９    コンテンツ取得部
３５０    記憶部
３５１    視聴履歴抽出結果記憶部
３５２    コンテンツ再生情報記憶部
３５３    コンテンツキャッシュ部
【図１】
2006066968.tif 000003
【図２】
2006066968.tif 000004
【図３】
2006066968.tif 000005
【図４】
2006066968.tif 000006
【図５】
2006066968.tif 000007
【図６】
2006066968.tif 000008
【図７】
2006066968.tif 000009
【図８】
2006066968.tif 000010
【図９】
2006066968.tif 000011
【図１０】
2006066968.tif 000012
【図１１】
2006066968.tif 000013
【図１２】
2006066968.tif 000014
【図１３】
2006066968.tif 000015